(57)【特許請求の範囲】
【請求項１】
移動局（１０）と第１の基地局（２５）との間で有効データを伝送する移動無線網（１）の動作方法であって、
該有効データを伝送前にパケットデータユニットに統合し、
該パケットデータユニットを伝送するために、前記移動局（１０）にも、前記第１の基地局（２５）より上位の第１のネットワークユニット（５０）にも伝送の目下の状態を表す伝送固有の情報をファイルし、
前記第１の基地局（２５）から第２の上位ネットワークユニット（５５）を備える第２の基地局（３０）への前記移動局（１０）のコネクション切り替えの際に、コネクション切り替え後の伝送を基本的には目下の状態の直後から継続するために、前記第１の上位ネットワークユニット（５０）にファイルされている伝送固有の情報を第２の上位ネットワークユニット（５５）に伝送する、移動無線網の動作方法において、
前記コネクション切り替えを行う前に前記第１の基地局（２５）から前記移動局（１０）へのパケットデータユニットの伝送を前記第１の上位ネットワークユニット（５０）によって停止し、
前記第１の上位ネットワークユニット（５０）からの前記伝送固有の情報と共に、前記移動局（１０）からの次のパケットデータユニットとして前記第１の上位ネットワークユニット（５０）において予期されるパケットデータユニットの第１の識別子を、第２の上位ネットワークユニット（５５）に伝送し、
前記第２の上位ネットワークユニット（５５）から、前記第１の識別子を含む第１のコネクション切り替えパケットデータユニットを前記移動局（１０）に伝送することを特徴とする、移動無線網の動作方法。
【請求項２】
前記移動局（１０）によって、前記第１の識別子の受信後のパケットデータユニットの発信を停止する、請求項１記載の方法。
【請求項３】
前記移動局（１０）によって、前記第１の識別子の受信後に第２のコネクション切り替えパケットデータユニットを前記第２の上位ネットワークユニット（５５）に伝送し、該第２のコネクション切り替えパケットデータユニットは、第２の上位ネットワークユニット（５５）からの次のパケットデータユニットとして前記移動局（１０）において予期されるパケットデータユニットの第２の識別子を含む、請求項１または２記載の方法。
【請求項４】
前記移動局（１０）からの前記第２のコネクション切り替えパケットデータユニットを、該移動局（１０）の再コンフィギュレーションまたはリセット後に前記第２の上位ネットワークユニット（５５）に伝送する、請求項３記載の方法。
【請求項５】
前記第２の上位ネットワークユニット（５５）から前記移動局（１０）へのパケットデータユニットの発信を、前記第２の識別子によって照会されたパケットデータユニットを有する第２の識別子の受信後に継続する、請求項３または４記載の方法。
【請求項６】
前記第２の上位ネットワークユニット（５５）によって、コネクション切り替え後及び前記移動局（１０）からの前記第２のコネクション切り替えパケットデータユニットの受信前に受信されるパケットデータユニットを無視する、請求項３、４または５記載の方法。
【請求項７】
前記移動局（１０）からのパケットデータユニットの発信を、前記第１の識別子によって照会されたパケットデータユニットを有する第１の識別子の受信後に継続し、該パケットデータユニット及び後続のパケットデータユニットを前記第２の上位ネットワークユニット（５５）に伝送する、請求項２から６までのいずれか１項記載の方法。
【請求項８】
前記移動局（１０）からのパケットデータユニットの発信を、該移動局（１０）の再コンフィギュレーションまたはリセットの後に、前記第１の識別子によって照会されたパケットデータユニットでもって継続し、該パケットデータユニット及び後続のパケットデータユニットを前記第２の上位ネットワークユニット（５５）に伝送する、請求項７記載の方法。
【請求項９】
前記第２の上位ネットワークユニット（５５）を、前記伝送固有の情報の受信前に初期化する、請求項１から８のいずれか１項記載の方法。
【請求項１０】
前記第１のコネクション切り替えパケットデータユニットにおける前記第１の識別子及び／又は前記第２のコネクション切り替えパケットデータユニットにおける前記第２の識別子それぞれを、次に予期されるパケットデータユニットのシーケンス番号として伝送する、請求項１から９のいずれか１項記載の方法。
【請求項１１】
前記シーケンス番号を、例えば８ビット値としての所定のフォーマットで伝送する、請求項１０記載の方法。
【請求項１２】
前記シーケンス番号を、１つのコネクション切り替えパケットデータユニットにおいて、コネクション切り替えパケットデータユニット自体を表す情報エレメントと共に伝送する、請求項１０または１１記載の方法。
【発明の詳細な説明】
【０００１】
本発明は、独立請求項の上位概念による移動無線網の動作方法に関する。
【０００２】
明細書出願番号１９９５６０６２．５号には未公開のドイツ連邦共和国特許願から、既に移動無線網の動作方法が公知であり、この方法においては移動局と第１の基地局との間で有効データが伝送される。ここで、有効データは伝送される前にパケットデータユニットに統合される。パケットデータユニットを伝送するために、移動局にも第１の基地局の上位の第１のネットワークユニットにも、伝送の目下の状態を表す伝送固有の情報がファイルされる。第１の基地局から第２の上位ネットワークユニットを備える第２の基地局への移動局のコネクション切り替えの際には、コネクション切り替え後の伝送を基本的に目下の状態の直後から継続するために、第１の上位ネットワークユニットにファイルされている伝送固有の情報が第２の上位ネットワークユニットに伝送される。
【０００３】
発明の利点
独立請求項記載の特徴を有する本発明の方法はこれに対して以下の利点を有する。すなわちコネクション切り替えの前に、第１の基地局から移動局へのパケットデータユニットの伝送が第１の上位ネットワークユニットによって停止され、第１の上位ネットワークユニットから伝送固有の情報と共に、移動局からの次のパケットデータユニットとして第１の上位ネットワークユニットにおいて予期されるパケットデータユニットの第１の識別子が第２の上位ネットワークユニットに伝送され、第２の上位ネットワークユニットから第１の識別子を含む第１のコネクション切り替えパケットデータユニットが移動局に伝送される。このようにして、そのようなパケットデータユニットの誤りのある検出を、場合によっては行われる移動局の再コンフィギュレーションまたはリセットに基づき阻止するために、コネクション切り替えの中にはパケットデータユニットは移動局に伝送されないことが保証される。さらに第１のコネクション切り替えパケットデータユニットによって、移動局がコネクション切り替え後に第２の上位ネットワークユニットによって予期されたパケットデータユニットでもって発信を継続することが保証され、その結果コネクション切り替えの間に移動局から第１または第２の上位ネットワークユニットに発信されたパケットデータユニットが、誤った受信または誤った評価によって消失することはない。それどころか、第２の上位ネットワークユニットにおける完全な受信、コネクション切り替えの際に必要に応じて行われる再コンフィギュレーションまたはリセットプロセスによって移動局から発信されたパケットデータユニットが妨害なく受信されることが保証される。
【０００４】
さらなる利点は第１の識別子が、コネクション切り替えパケットデータユニットとして構成されたパケットデータユニットを使用することにより発信されることであり、この識別子を効果的に、付加的なシグナリングを行わずに、また新たなデータチャネルを形成及び解除せずに、または既存のデータチャネルを再コンフィギュレーションせずに、既存のデータチャネルを介して移動局に伝送することができる。
【０００５】
従属請求項に記載された手段によって、独立請求項記載記載の方法の有利な実施形態及び改善実施形態が可能である。
【０００６】
移動局によってパケットデータユニットの発信が第１の識別子の受信後に停止されることは殊に有利である。このようにして移動局にはコネクション切り替えが通知され、第２の上位ネットワークユニットによって場合によっては全く予期されない別のパケットデータユニットを発信することを阻止する。
【０００７】
また有利には移動局によって、第１の識別子の受信後に第２のコネクション切り替えパケットデータユニットが、第２の上位ネットワークユニットに伝送される。この第２のコネクション切り替えパケットデータユニットは、第２の上位ネットワークユニットからの次のパケットデータユニットとして移動局において予期されるパケットデータユニットの第２の識別子を含む。このようにして、コネクション切り替え後の可能な限り早い時点に、すなわち移動局がこれらのパケットデータユニットを受信する準備ができていることを第２の識別子でもって伝えたときに、第２の上位ネットワークユニットによるパケットデータユニットの発信を再開することができる。
【０００８】
別の利点は、移動局からの第２のコネクション切り替えパケットデータユニットが、移動局の再コンフィギュレーションまたはリセット後に第２の上位ネットワークユニットに伝送される。
【０００９】
第１の識別子の受信後に移動局を再コンフィギュレーションまたはリセットすることによって以下のことが保証されている。すなわち第１の上位ネットワークユニットから送信された全てのパケットデータユニットが、再コンフィギュレーションまたはリセットされていない移動局によって受信され、第２の上位ネットワークユニットから受信される全てのパケットデータユニットが再コンフィギュレーションまたはリセットされた移動局によって検出される。
【００１０】
更に有利には、第２の上位ネットワークユニットによって、コネクション切り替え後及び第２のコネクション切り替えパケットデータユニットの受信後に移動局から受信されるパケットデータユニットが無視される。このようにして、移動局がコネクション切り替え前に発信していたが、コネクション切り替え後に初めて第２の上位ネットワークユニットにおいて受信されたパケットデータユニットの第２の上位ネットワークユニットにおける検出に誤りがあることが阻止される。何故ならば、例えば第２の上位ネットワークユニットの再コンフィギュレーションまたはリセットがコネクション切り替えによって指示されたからである。したがってコネクション切り替えの際に場合によっては行われるべき再コンフィギュレーションまたはリセットによって、移動局から発信されたパケットデータユニットが第２の上位ネットワークユニットにおいて妨害なく受信されることが保証される。
【００１１】
さらなる利点は以下のことにより生じる。すなわち、移動局からのパケットデータユニットの発信が、移動局の再コンフィギュレーションまたはリセットの後に第１の識別子によって照会されたパケットデータユニットでもって継続され、このパケットデータユニット及び後続のパケットデータユニットが第２の上位ネットワークユニットに伝送される。このようにして移動局がコネクション切り替え後のデータ伝送を、第２の上位ネットワークユニットへの新たなコネクションに適したパケットデータユニットでもって継続することが保証され、これらのパケットデータユニットを第２の上位ネットワークユニットにおいて検出することもできる。
【００１２】
別の利点は、第２の上位ネットワークユニットが伝送固有の情報を受信する前に初期化されることにより生じる。このようにして、伝送固有の情報が不十分な初期化のために第２の上位ネットワークユニットによって理解されないということが阻止される。
【００１３】
第１のコネクション切り替えパケットデータユニットにおける第１の識別子及び／又は第２のコネクション切り替えパケットデータユニットにおける第２の識別子それぞれが、次のパケットデータユニットとして予期されるパケットデータユニットのシーケンス番号として伝送されることもまた有利である。このようにして、例えばシーケンス番号が単に８ビットだけ要求する場合には、個々のコネクション切り替えパケットデータユニットの伝送には重要ではない帯域だけが要求される。
【００１４】
図面
本発明の実施例を図面に示し、以下の記述において詳細に説明する。図１は、移動無線網のブロック図である。図２は、コネクション切り替え前の第１の基地局を介する移動局と第１の上位ネットワークユニットとの間のコネクションのブロック図である。図３は、コネクション切り替え後の第２の基地局を介する移動局と第２の上位ネットワークとの間のコネクションのためのブロック図である。図４は、従来技術によるコネクション切り替えの時間経過の例である。図５は、本発明によるコネクション切り替えの時間経過の例である。
【００１５】
実施例の説明
本発明は図１による移動無線網１を動作させるための方法を扱う。この方法はコネクションが確立されている間に、２つの基地局２５、３０間のコネクション切り替えを行う。このコネクション切り替えは「リロケーション」とも称される。移動無線網１は例えば、ＧＳＭ規格（Ｇｌｏｂａｌ  Ｓｙｓｔｅｍ  ｆｏｒ  Ｍｏｂｉｌｅ  Ｃｏｍｍｕｎｉｃａｔｉｏｎ）またはＵＭＴＳ規格（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）にしたがい形成することができる。本発明の方法は特に、セルラ構成の移動無線網１の２つの上位ネットワークユニット５０、５５間において確立されたコネクションの伝送固有の情報、例えばコンバージェンスプロトコル層１３０、１３５の内部プロトコル情報の形式である情報の発信に関する。
【００１６】
セルラ移動無線網１は、物理的に相互に接続されている種々のユニット１０、２０、２５、３０、３５、５０、５５、６０から構成されている。ここで参照記号１０は移動無線網１の移動局を表し、この移動局は例えば移動遠隔通信端末機器として構成することができる。移動遠隔通信端末機器１０は第１のエアインタフェース９０を介して移動無線網１の第１の基地局２５と接続されている。第１の基地局２５は、第１の固定網コネクション８１を介して第１の上位ネットワークユニット５０と接続されている。第２の基地局３０は、第２の固定網コネクション８２を介して第２の上位ネットワークユニット５５と接続されている。第３の基地局２０は、第３の固定網コネクション８０を介して第１の上位ネットワークユニット５０と接続されている。第４の基地局３５は、第４の固定網コネクション８３を介して第２の上位ネットワークユニット５５と接続されている。第１の上位ネットワークユニット５０は、第５の固定網コネクション８５を介して最上位ネットワークユニット６０と接続されている。第２の上位ネットワークユニット５５は、第６の固定網コネクション８６を介して最上位ネットワークユニット６０と接続されている。最適には第１の上位ネットワークユニット５０は、図１に破線で示されているように、第７の固定網コネクションを介して第２の上位ネットワークユニット５５と接続することができる。第１の上位ネットワークユニット５０、第２の上位ネットワークユニット５５及び必要に応じて別の上位ネットワークユニットはＵＭＴＳ規格にしたがい、いわゆる「Ｒａｄｉｏ  Ｎｅｔｗｏｒｋ  Ｓｕｂｓｙｓｔｅｍｓ」（ＲＮＳ）を形成する。最上位ネットワークユニットはＵＭＴＳ規格にしたがい、いわゆる「ＧＰＲＳ  Ｓｕｐｐｏｒｔ  Ｎｏｄｅ」（Ｇｅｎｅｒａｌ  Ｐａｃｋｅｔ  Ｒａｄｉｏ  Ｓｙｓｔｅｍ  Ｓｕｐｐｏｒｔ  Ｎｏｄｅ）（ＧＳＮ）を形成する。
【００１７】
セルラ移動無線網１では、移動遠隔通信端末機器１０と確立されたコネクションに関与する移動無線網１のその他のユニットとの間においてデータを伝送するために論理コネクションが確立される。移動遠隔通信端末機器１０と移動無線網１の関与する種々のユニットとの間の論理コネクションは、異なる方式で同時に存在する。これらの論理コネクションは、各階層がプロトコルに相応する階層モデルに基づくものであり、このプロトコルは移動遠隔通信端末機器１０にも、移動無線網１の相応のユニットにも設けられており、相応の論理コネクションを実現する。
【００１８】
図２には例示的に、移動局１０と第１の上位ネットワークユニット５０との間の論理コネクション、ならびに移動局１０と第１の基地局２５との間の論理コネクションが図示されている。この階層モデルにおける最下位の階層は、移動遠隔通信端末機器１０における第１の物理層１１０及び第１の基地局２５における第２の物理層１１５によって構成されており、これらは移動遠隔通信端末機器１０と移動無線網１の第１の基地局２５との間における、第１のエアインタフェース９０に相応する物理コネクションを実現する。この物理層の上には、ＵＭＴＳ規格による「データリンク層」とも称されるデータ保護層があり、このデータリンク層は複数の下位層に分割されており、移動遠隔通信端末機器１０と、ＵＭＴＳ規格による「Ｒａｄｉｏ  Ｎｅｔｗｏｒｋ  Ｃｏｎｔｒｏｌｅｒ」（ＲＮＣ）とも称される第１の上位ネットワークユニット５０との間の種々の論理コネクションを実現する。そのような下位層は、「Ｒａｄｉｏ  Ｌｉｎｋ  Ｃｏｎｔｒｏｌ」層（ＲＬＣ）とも称されるＵＭＴＳ規格による無線コネクション制御層である。この無線コネクション制御層では移動遠隔通信端末機器１０における第１のＲＬＣプロトコル１２０と第１の上位ネットワークユニット５０における第２のＲＬＣプロトコル１２５とが、第１の論理ＲＬＣコネクション１０１を前述の論理コネクションのうちの１つとして実現する。別の下位層は、ＵＭＴＳ規格による「Ｐａｃｋｅｔ  Ｄａｔａ  Ｃｏｎｖｅｒｇｅｎｃｅ  Ｐｒｏｔｏｃｏｌ」層（ＰＤＣＰ）とも称されるパケットデータコンバージェンスプロトコル層である。このパケットデータコンバージェンス層では、移動遠隔通信端末機器１０における第１のＰＤＣＰプロトコル１３０と第１の上位ネットワークユニット５５における第２のＰＤＣＰプロトコル１３５とが第１の論理ＰＤＣＰコネクション１０２を実現する。例えばネットワーク層及びトランスポート層のような比較的上位の階層においては、例えば無線リソース制御プロトコルＲＲＣ（Ｒａｄｉｏ  Ｒｅｓｏｕｒｃｅ  Ｃｏｎｔｒｏｌ）、インターネットプロトコルＩＰ、伝送制御プロトコルＴＣＰ（Ｔｒａｎｓｉｔ  Ｃｏｎｔｒｏｌ  Ｐｒｏｔｏｃｏｌ）及び同様のプロトコルのような別のプロトコルが、別の論理コネクションを確立することができる。図２によれば階層モデルにおいては隣接する層が相互に接続されており、上位層が相応に隣接する下位層のサービスを必要とする。第２の物理層１１５は図１に図示したように、第１の固定網コネクションを介して第１の上位ネットワークユニット５０と接続されており、そこで第２のＲＬＣプロトコル１２５と接続されている。
【００１９】
刊行物「Ｔｅｃｈｎｉｃａｌ  Ｓｐｅｃｉｆｉｃａｔｉｏｎ  ２５．３０１、ＵＭＴＳ  Ｒａｄｉｏ  Ｉｎｔｅｒｆａｃｅ  Ｐｒｏｔｏｃｏｌ  Ａｒｃｈｉｔｅｃｔｕｒｅ」からいわゆる２層及び３層の相応のＵＭＴＳプロトコルアーキテクチャが公知である。これらの層にはパケットデータコンバージェンスプロトコル層も所属する。例えばパケットデータコンバージェンスプロトコル層及びこのアーキテクチャ内の位置が公知である。ＰＤＣＰプロトコル１３０、１３５は、現在までに詳述されている限りでは、刊行物「Ｔｅｃｈｎｉｃａｌ  Ｓｐｅｃｉｆｉｃａｔｉｏｎ  ２５．３２３、Ｐａｃｋｅｔ  Ｄａｔａ  Ｃｏｎｖｅｒｇｅｎｃｅ  Ｐｒｏｔｏｃｏｌ」から公知である。
【００２０】
ＰＤＣＰプロトコル１３０、１３５の課題は、パケットデータコンバージェンスプロトコル層の上部のトランスポート層及びネットワーク層のプロトコルから、同様にパケットデータプロトコル層において伝送前にデータユニットまたはパケットデータユニットに統合された、同様にパケットデータコンバージェンスプロトコル層の上部で実行されるアプリケーションの有効データに付加されており、効果的な伝送を実現するために第１のエアインタフェース９０を介する伝送の前に圧縮される必要があるパケットデータコントロール情報の圧縮である。
【００２１】
セルラ移動無線網は、移動遠隔通信端末機器１０のユーザが第１の基地局２５から拡がる無線セルを離れる場合であっても、移動遠隔通信端末機器１０から移動無線網１のユニットへとデータを伝送する手段を提供する。これに関して移動遠隔通信端装置１０と移動無線網１との間では、第１の基地局２５から第２の基地局３０へとデータを伝送するために、確立されたコネクションの引き渡しが行われ、これは移動遠隔通信端末機器１０のユーザが第２の基地局３０から拡がる無線セルへと移動することを前提としている。このコネクション切り替えは前述のように、基地局間の「ハンドオーバ」とも称される。
【００２２】
コネクション切り替えの際には、今までの第１のベースステーション１とみなす、コネクションが引き渡されるべき第２の基地局３０を別の上位ネットワークユニットと接続することができる。これは既述の実施例では、第２の基地局３０が第１の基地局２５とは異なり、第２の上位ネットワークユニット５５と接続されている。したがって、第１の基地局から第２の基地局へのコネクションの引渡しと同時に、またはコネクションの引渡し後に、第１の上位ネットワークユニット５０と第２の上位ネットワークユニット５５との間のコネクションの引渡しも行う。このコネクションの引渡しはネットワークユニット間の「リロケーション」と称される。
【００２３】
図２においてもＲＬＣプロトコル及びＰＤＣＰプロトコルが、移動遠隔通信端末機器１０にも第１の上位ネットワークユニット５０にも存在するように、各プロトコルは常に少なくとも２度、同一のプロトコル層レベルで異なるネットワークユニットに存在する。特にＰＤＣＰプロトコル１３０、１３５は上述のようにＵＭＴＳ規格にしたがい、一方では移動遠隔通信端末機器１０に、他方では第１の上位ネットワークユニット５０ならびにＲＮＣとして構成されている別の上位ネットワークユニットにある。記述したコネクション切り替えの場合では、移動遠隔通信端末機器１０と移動無線網１との間に存在するデータコネクションが、第２の基地局３０及び第２の上位ネットワークユニット５５を介して延在するように変更される。したがって移動遠隔通信端末機器１０における第１のＰＤＣＰプロトコル１３０は、コネクション切り替え前には第１の上位ネットワークユニット５５における第２のＰＤＣＰプロトコル１３５へと第１の論理ＰＤＣＰコネクション１０２を介して送信し、コネクション切り替え後には図３にしたがい、第２の上位ネットワークユニット５５の第３のＰＤＣＰプロトコル１３６へと送信する。
【００２４】
本発明を具体的かつ例示的に以下のことを前提として説明する。すなわち移動遠隔通信端末機器１０が、第１の基地局２５、第１の上位ネットワークユニット５０及び最上位ネットワークユニット６０のような移動無線網１のユニットと、必要な物理的及び論理的なコネクションを介して、例えば第１のＰＤＣＰプロトコル１３０及び第２のＰＤＣＰプロトコル１３５によって実現される移動遠隔通信端末機器１０と第１の上位ネットワークユニット５０との間の第１の論理コネクション１０２を介して接続されており、データ転送、すなわちこれらのコネクションを介するパケットデータユニットの交換を行う。
【００２５】
ここで第１のＰＤＣＰプロトコル１３０及び第２のＰＤＣＰプロトコル１３５はその機能に基づき伝送固有の情報をファイルし、この情報は有効データ及びパケットデータコントロール情報の圧縮及び操作に必要とされる。前述の２つのＰＤＣＰプロトコル１３０、１３５の正確な機能を実現するために、この伝送固有の情報の一部が２つのＰＤＣＰプロトコル１３０、１３５において同期されていなければならないかまたは同一である必要がある。移動遠隔通信端末機器１０が移動無線網１における無線セルを、例えば基地局２５の送信領域からの移動遠隔通信端末機器１０の移動に基づき新たな無線セルに交換した場合には、コネクション切り替えが行われ、移動遠隔通信端末機器１０と新たな無線セルを拡げる第２の基地局３０との間の新たな物理コネクションを確立する。新たな物理コネクションは、図１及び図３の第２のエアインタフェース９１に相応する。
【００２６】
図３においては、第２の基地局３０を介する移動遠隔通信端末機器１０と第２の上位ネットワークユニット５５との間のコネクションが図示されている。ここで図２と同一の参照記号は同一の要素を表す。図３による第２の基地局３０は、第２の固定網コネクション８２を介して第２の上位ネットワークユニット５５ないしこの上位ネットワークユニット５５のＲＬＣプロトコルと接続されており、このＲＬＣプロトコルはここでは第３のＲＬＣプロトコル１２６として表されている。第２の上位ネットワークユニット５５は、第１の上位ネットワークユニット５０のように構成されており、また相応に第３のＲＬＣプロトコル１２６の他に第３のＰＤＣＰプロトコル１３６を有する。第２の基地局３０は移動無線網１において、既述のように第１の上位ネットワークユニット５０とは異なる第２の上位ネットワークユニット５５と接続されている。したがって移動遠隔通信端末機器１０と第２の上位ネットワークユニット５５との間の論理コネクションも新たに確立される。第１のＲＬＣプロトコル１２０と第３のＲＬＣプロトコル１２６との間では第２の論理コネクション１０３が確立される。第１のＰＤＣＰプロトコル１３０と第３のＰＤＣＰプロトコル１３６との間では、第２の論理ＰＤＣＰコネクション１０４が確立される。したがって第１の論理ＰＤＣＰコネクション１０３は、第２の論理ＰＤＣＰコネクション１０４によって代替される。このために第２の上位ネットワークユニット５５においては、第３のＰＤＣＰプロトコル１３６はコネクション切り替え後に初めて新たに形成される必要がある。
【００２７】
ここで第２の論理ＰＤＣＰコネクション１０４を介する正確なデータフローを可能にするために、先ず移動遠隔通信端末機器１０における第１のＰＤＣＰプロトコル１３０と第２の上位ネットワークユニット５５における第３のＰＤＣＰプロトコル１３６とが再び同期される必要がある。このための１つのやり方として、移動遠隔通信端末機器１０における第１のＰＤＣＰプロトコル１３０を、コネクション切り替えの際に新たに形成された第３のＰＤＣＰプロトコル１３６の出力状態に相応する所定の出力状態にリセットすることである。この場合第１のＰＤＣＰプロトコル１３０と第３のＰＤＣＰプロトコル１３６は同一の伝送固有の情報を含む。
【００２８】
移動局１０と移動無線網１との間に存在する移動無線コネクションの経過において、移動無線コネクションを延ばす上位ネットワークユニットが交換される場合には、本来の第１の上位ネットワークユニット５０においては、第２のＲＬＣプロトコル１２５を形成するために設けられた第２のＲＬＣプロトコルユニット２２００及び第２のＰＤＣＰプロトコル１３５を形成するために設けられた第２のＰＤＣＰプロトコルユニット２１００が消去され、次いで新たな第２の上位ネットワークユニット５５においては、第３のＲＬＣプロトコルユニット３２００及び第３のＰＤＣＰプロトコルユニット３１００が形成され、続いて図４及び図５による第３のＲＬＣプロトコルユニット３２００と第１のＲＬＣプロトコル１２０を形成するために設けられた第１のＲＬＣプロトコルユニット１２００との間ないし第３のＰＤＣＰプロトコルユニット３１００と第１のＰＤＣＰプロトコル１３０を形成するために設けられた第１のＰＤＣＰプロトコルユニット１１００との間、すなわち第３のＲＬＣプロトコル１２６と第１のＲＬＣプロトコル１２０との間ないし第３のＰＤＣＰプロトコル１３６と第１のＰＤＣＰプロトコル１３０との間のデータ伝送を可能にするようにコンフィギュレーションされる。「リロケーション」と称されるそのようなコネクション切り替えの際に、ＰＤＣＰプロトコルユニット１１００、２１００、３１００による損失のないデータ伝送を保証できるようにするために、これらのプロトコルユニットはデータ圧縮に関連する理由から、より上位のプロトコル層から受け取るパケットデータユニットを記憶し、番号付けする必要がある。これらのパケットデータユニットはエラーの無い伝送が、それぞれ受信するＲＬＣプロトコルユニットによって確認されたときに初めて、このために設けられた図面には示していないメモリから消去される。現在のところ刊行物「Ｐａｃｋｅｔ  Ｄａｔａ  Ｃｏｎｖｅｒｇｅｎｃｅ（ＰＤＣＰ）  Ｐｒｏｔｏｃｏｌｌ」、３ＧＰＰ、Ｔｅｃｈｎｉｃａｌ  Ｓｐｅｃｉｆｉｃａｔｉｏｎ  ２５．３２３から公知である方法を以下説明する。
【００２９】
データ伝送の間に、それぞれの送信機の相応のＰＤＣＰプロトコルユニット１１００、２１００、３１００によって、データ伝送のためにより上位のプロトコル層から受け取る各パケットデータユニットが、いわゆるＰＤＣＰ送信シーケンス番号を用いて番号付けされ、記憶される。その後パケットデータユニットは必要に応じて圧縮され、伝送のためにＲＬＣプロトコル層に引き渡される。それぞれの受信機の相応のＰＤＣＰプロトコルユニット１１００、２１００、３１００においては、そこのＲＬＣプロトコル層から受信したパケットデータユニットが、同様にＰＤＣＰ受信シーケンス番号を与えられることによってカウントされる。ＲＬＣプロトコル層は正確な順序でのパケットデータユニットの損失の無い伝送を保証するので、伝送される各データパケットのＰＤＣＰ送信シーケンス番号とＰＤＣＰ受信シーケンス番号は一致する。移動局１０及びそれぞれの上位ネットワークユニット５０、５５はそれぞれ送信機としても受信機としても動作できるので、これらは通常パケットデータユニットを送信および受信するためのＰＤＣＰプロトコルユニット１１００、２１００、３１００を有する。したがってＰＤＣＰ送信シーケンス番号及びＰＤＣＰ受信シーケンス番号は、アップリンク、すなわち移動局１０から相応の上位ネットワークユニット５０、５５への伝送方向にも、ダウンリンク、すなわち相応の上位ネットワークユニット５０、５５から移動局１０への伝送方向にも存在する。移動局１０は、いわゆるＰＤＣＰアップリンク送信シーケンス番号を有する送信したパケットデータユニット及びＰＤＣＰダウンリンク受信シーケンス番号を有する受信したパケットデータユニットをカウントする。次に相応の上位ネットワークユニット５０、５５は、いわゆるＰＤＣＰダウンリンク送信シーケンス番号を有する送信したパケットデータユニット及びＰＤＣＰアップリンク受信シーケンス番号を有する受信したパケットデータユニットをカウントする。
【００３０】
コネクション切り替えが行われると、第１の上位ネットワークユニット５０は、第２の新たな上位ネットワークユニット５５へと以下の伝送固有の情報を伝送する。
１）次に予期され、かつ第２の上位ネットワークユニット５５によって受信されるべきデータパケットのＰＤＣＰアップリンク受信シーケンス番号。
２）まだメモリに記憶されているパケットデータユニット、及び次のパケットデータユニットとして移動局１０に伝送されたであろう、記憶されたパケットデータユニットのＰＤＣＰダウンリンク送信シーケンス番号、並びにこの目的のために記憶された全てのパケットデータユニットのＰＤＣＰダウンリンク送信シーケンス番号。ここでこれらのシーケンス番号はより上位のプロトコル層から受信した順序でファイルされている。
【００３１】
ここで第２の上位ネットワークユニット５５は、次に予期される、第２の上位ネットワークユニット５５によって受信されるべきデータパケットのＰＤＣＰアップリンク受信シーケンス番号を移動局１０に送信する。移動局１０は再び、移動局１０によって予期され、受信されるべき次のパケットデータユニットのＰＤＣＰダウンリンク受信シーケンス番号を第２の上位ネットワークユニット５５に送信する。このようにして、移動局１０及び相応の上位ネットワークユニット５０、５５における、それぞれ送信を管理するＰＤＣＰプロトコルユニット１１００、２１００、３１００が以下の情報を得ている。すなわちどのパケットデータユニットがコネクション切り替えの前に、移動局１０及び相応の上位ネットワークユニット５０、５５においてそれぞれ受信を管理するＰＤＣＰプロトコルユニット１１００、２１００、３１００によって正確に受信されたか、またコネクション切り替え後の有効データ転送時にどのパケットデータユニットから再開されなければならないかという情報を得ている。
【００３２】
刊行物「Ｐａｃｋｅｔ  Ｄａｔａ  Ｃｏｎｖｅｒｇｅｎｃｅ（ＰＤＣＰ）  Ｐｒｏｔｏｋｏｌｌ」３ＧＰＰ、Ｔｅｃｈｎｉｃａｌ  Ｓｐｅｃｉｆｉｃａｔｉｏｎ  ２５．３２３に記載されているように、上述の方法は公知である。コネクション切り替えが行われたとき、ＰＤＣＰプロトコルユニット１１００、２１００、３１００ないし移動局１０及び相応の上位ネットワークユニット５０、５５がどのような状態にあるか、またどのようなやり方で移動局１０と第２の上位ネットワークユニット５５との間において、次のシーケンス番号として予期されるＰＤＣＰダウンリンク受信シーケンス番号ないしＰＤＣＰアップリンク受信シーケンス番号の上述の交換が行われるかはそこでは詳細に記載されていない。
【００３３】
そこではこれらの伝送固有の情報は、ＰＤＣＰプロトコル１３０、１３５、１３６とは異なるプロトコル、例えばコネクション切り替えの実行に関する通知も受信し処理する無線リソース制御プロトコルＲＲＣによって、またはＰＤＣＰプロトコル１３０、１３５、１３６自体によって伝送されることが考えられる。パケットデータユニットの伝送のために使用される伝送チャネルも設定されていない。
【００３４】
同様に刊行物「Ｐａｃｋｅｔ  Ｄａｔａ  Ｃｏｎｖｅｒｇｅｎｃｅ（ＰＤＣＰ）  Ｐｒｏｔｏｋｏｌｌ」、３ＧＰＰ、Ｔｅｃｈｎｉｃａｌ  Ｓｐｅｃｉｆｉｃａｔｉｏｎ  ２５．３２３からは、それぞれのＰＤＣＰプロトコル層からそれぞれの下位ＲＬＣプロトコル層に送信されるパケットデータユニット（ＰＤＣＰ−ＰＤＵｓ）のためのフォーマットが公知である。これまでに「ＰＤＣＰ−Ｎｏ−Ｈｅａｄｅｒ−ＰＤＵ」及び「ＰＤＣＰ−Ｄａｔａ−ＰＤＵ」が前述の刊行物「Ｐａｃｋｅｔ  Ｄａｔａ  Ｃｏｎｖｅｒｇｅｎｃｅ（ＰＤＣＰ）  Ｐｒｏｔｏｋｏｌｌ」に規定されている。
【００３５】
説明したやり方では図４のように以下の問題が生じる可能性がある。
【００３６】
問題１：
移動局１０におけるＰＤＣＰプロトコルユニット１１００が、第１のコネクション切り替え５００が行われる前に、第１のパケットデータユニット５１０を移動局１０におけるＲＬＣプロトコルユニット１２００に引き渡し、次いで移動局１０のＲＬＣプロトコルユニット１２００がこのパケットデータユニットを、例えば第１のコネクション切り替え５００前の第１の伝送エラー５２０に基づき、第１のコネクション切り替え５００後に初めて図４における伝送ステップ５２１にしたがい第２の上位ネットワークユニット５５のＲＬＣプロトコルユニット３２００へと発信した場合には、第２の上位ネットワークユニット５５のＲＬＣプロトコルユニット３２００が第１のコネクション切り替え５００後に初めて、受信したパケットデータユニットを伝送ステップ５３０にしたがい第２の上位ネットワークユニット５５のＰＤＣＰプロトコルユニット３１００へと引き渡すことができる。そのように受信したこれらのパケットデータユニットは、場合によっては第２の上位ネットワークユニット５５のＰＤＣＰプロトコルユニット３１００によって正確に処理されない、例えば伸長されない可能性があり、何故ならば第１のコネクション切り替え５００中ないし第１のコネクション切り替え５００後には、第２の上位ネットワークユニット５５のＰＤＣＰプロトコルユニット３１００におけるデータ操作の方式が、第１の上位ネットワークユニット５０のＰＤＣＰプロトコルユニット２１００と比べると変化している可能性があり、このことは第１のコネクション切り替え５００直後での第２の上位ネットワークユニット５５におけるＰＤＣＰプロトコルユニット３１００の第１のリセットプロセス５４０による。ここで第１のリセットプロセス５４０は例えば、第２の上位ネットワークユニット５５のＰＤＣＰプロトコルユニットの初期化の際に圧縮アルゴリズムをリセットすることができる。
【００３７】
問題２：
第１の上位ネットワークユニット５０におけるＰＤＣＰプロトコルユニット２１００が、第２のコネクション切り替え６００が行われる前に第２のパケットデータユニット６１０を第１の上位ネットワークユニット５０のＲＬＣプロトコルユニット２２００に伝送し、第１の上位ネットワークユニット５０のＲＬＣプロトコルユニット１２００がこのパケットデータユニットを、例えば第２のコネクション切り替え６００前の第２の伝送エラー６２０に基づき、第２のコネクション切り替え６００後に初めて図４における伝送ステップ６２１にしたがい移動局１０のＲＬＣプロトコルユニット１２００へ発信される場合には、移動局１０のＲＬＣプロトコルユニット１２００が第２のコネクション切り替え６００後に初めて、受信したこれらのパケットデータユニットを伝送ステップ６３０にしたがい移動局１０のＰＤＣＰプロトコルユニット１１００に伝送することができる。そのように受信したこれらのパケットデータユニットは場合によっては、移動局１０のＰＤＣＰプロトコルユニット１１００によって正確に処理されない、例えば伸長されない可能性があり、何故ならば第２のコネクション切り替え６００後には、移動局１０のＰＤＣＰプロトコルユニット１１００におけるデータ操作の方式が変化している可能性があり、このことは第２のコネクション切り替え６００直後での移動局１０におけるＰＤＣＰプロトコルユニット１１００の第２のリセットプロセス６４０による。ここで第２のリセットプロセス６４０は例えば移動局１０のＰＤＣＰプロトコルユニット１１００において圧縮アルゴリズムをリセットすることができる。
【００３８】
上述の問題を解消するために本発明では以下のことが提案される。
【００３９】
移動局１０と第２の上位ネットワークユニット５５との間のＰＤＣＰ受信シーケンス番号の交換を総じて実現するために、先ずＰＤＣＰパケットデータユニット（ＰＤＣＰ−ＰＤＵ）のための新たなフォーマットが提案される。このＰＤＣＰ−ＰＤＵは主としてＰＤＣＰシーケンス番号を内容とするものであり、以下ではコネクション切り替えパケットデータユニットまたはＰＤＣＰシーケンス番号パケットデータユニット（ＰＣＤＰ−ＳＮＰＤＵ）と称す。このＰＤＣＰ−ＰＤＵを、既に規定されておりまた従来技術において説明したパケットデータユニットと受信の際に区別できるようにするために、ここで提案されるＰＤＣＰ−ＳＮＰＤＵは、従来技術から公知であり、また有効データのデータ伝送のために用いられるパケットデータユニットで使用される情報エレメント「ＰＤＵタイプ」も内容とし、この情報エレメントはＰＤＣＰ−ＳＮＰＤＵにおいては、ＰＤＣＰ−ＳＮＰＤＵに固有である３ビットの値、例えば００１を内容とする。さらにＰＤＣＰ−ＳＮＰＤＵは５ビットの情報エレメントＲを含み、またこの情報エレメントでもってＰＤＣＰ−ＳＮＰＤＵの長さは８で割れる値に拡張される。この情報エレメントは任意の値をとることができ、例えば本発明にとって重要でない別のシグナリングのために使用することができる。このＰＤＣＰ−ＳＮＰＤＵにさらに情報エレメントを添付することも考えられるが、本発明ではＰＤＣＰ−ＳＮＰＤＵにおける情報エレメントＰＤＵタイプ、Ｒ及びＰＤＣＰシーケンス番号のみが重要である。次の表は８ビットのＰＤＣＰシーケンス番号、３ビットのＰＤＵタイプ情報エレメント及び５ビットの情報エレメントＲを有する例に基づく、本発明によって提案されるＰＤＣＰ−ＳＮＰＤＵフォーマットを示す。
【００４０】
【表１】
0003909241.tif 000002
【００４１】
この表のＰＤＣＰ−ＳＮＰＤＵは、それぞれ８ビットで構成されている２つのオクテットを有する。
【００４２】
本発明の方法は、図５に図示した以下のステップを有する。
【００４３】
コネクション切り替えは、例えば最上位ネットワークユニット６０のようなネットワークから常に開始されるので、ネットワークが常に第１のステップを始める。移動局１０と第１の上位ネットワークユニット５０との間の通常のデータ交換は、図５における第３のコネクション切り替え７００前の参照記号７０１で表されている。
【００４４】
以下第３のコネクション切り替え７００後の経過を説明する。
【００４５】
ステップ１：
第１の上位ネットワークユニット５０におけるＰＤＣＰプロトコルユニット２１００は、今まで使用していた伝送チャネルを介する移動局１０へのデータ伝送を停止する。
【００４６】
ステップ２：
第１の上位ネットワークユニット５０におけるＰＤＣＰプロトコルユニット２１００は、刊行物「Ｐａｃｋｅｔ  Ｄａｔａ  Ｃｏｎｖｅｒｇｅｎｃｅ（ＰＤＣＰ）  Ｐｒｏｔｏｋｏｌｌ」に記載されている伝送固有の情報７３０を、第２の上位ネットワークユニット５５のＰＤＣＰプロトコルユニット３１００に伝送する。この伝送固有の情報には、次のパケットデータユニットとして第１の上位ネットワークユニット５０において予期されるパケットデータユニットのＰＤＣＰアップリンク受信シーケンス番号、及び移動局１０に送信するために記憶されているパケットデータユニットのＰＤＣＰダウンリンク送信シーケンス番号を含む記憶内容が属する。
【００４７】
ステップ３：
第２の上位ネットワークユニット５５のＰＤＣＰプロトコルユニット３１００が、次に予期されるパケットデータユニットのＰＤＣＰアップリンク受信シーケンス番号を、伝送ステップ７４０にしたがい第２の上位ネットワークユニット５５のＲＬＣプロトコルユニット３２００を介して、また伝送ステップ７４１にしたがい移動局１０のＲＬＣプロトコルユニット１２００を介して、伝送ステップ７４２にしたがい移動局１０のＰＤＣＰプロトコルユニット１１００へと送信する。この送信は、ＰＤＣＰ−ＳＮＰＤＵを例えば表にしたがい形成し、そこでの情報エレメントを送信すべきＰＤＣＰアップリンク受信シーケンス番号に応じてセットし、ＰＤＣＰ−ＳＮＰＤＵを第２の上位ネットワークユニット５５の同一のＲＬＣプロトコルユニット３２００、したがって同一の論理チャネル、すなわち第２の論理ＲＬＣコネクション１０３へと、正しい順序で誤りなく伝送するために伝送ステップ７４１において第２のエアインタフェース９１を介して引き渡すことによって行われる。ここで第２の論理ＲＬＣコネクション１０３は、有効データを内容とするその他のパケットデータユニットのデータ伝送にも使用される。
【００４８】
第２の上位ネットワークユニット５５におけるＰＤＣＰプロトコルユニット３１００は、移動局１０から受信するＰＤＣＰ−ＳＮＰＤＵではない全てのパケットデータユニットを差し当たり無視する。
【００４９】
ステップ４：
移動局１０のＰＤＣＰプロトコルユニット１１００は、第２の上位ネットワークユニット５５からのＰＤＣＰ−ＳＮＰＤＵを伝送ステップ７４２後に受信した後に、第２の上位ネットワークユニット５５への有効データ転送を差し当たり停止する。
【００５０】
移動局１０のＰＤＣＰプロトコルユニット１１００は、この移動局の開設の際にコネクション切り替えに関して協議された変更７２０、例えば内部のプロトコル情報のリセットが協定されていた場合にはこの変更７２０を行う。
【００５１】
引き続き移動局１０のＰＤＣＰプロトコルユニット１１００は、移動局１０によって予期される次のパケットデータユニットのＰＤＣＰダウンリンク受信シーケンス番号を第２の上位ネットワークユニット５５のＰＤＣＰプロトコルユニット３１００へと送信する。この送信は、表にしたがいＰＤＣＰ−ＳＮＤＰＵを形成し、情報エレメントをＰＤＣＰダウンリンク受信シーケンス番号に応じてセットし、ＰＤＣＰ−ＳＮＤＰＵを伝送ステップ７４５にしたがい移動局１０の同一のＲＬＣプロトコルユニット１２００、したがって同一の第２の論理ＲＬＣコネクション１０３へと、正確な順序で誤りなく伝送するために第２のエアインタフェース９１を介して引き渡すことによって行われる。この第２のエアインタフェース９１は、有効データを移送するパケットデータユニットのデータ伝送にも使用される。移動局１０のＲＬＣプロトコルユニット１２００はこのやり方で、ＰＤＣＰ−ＳＮＤＰＵを伝送ステップ７４６にしたがい第２の上位ネットワークユニット５５のＲＬＣプロトコルユニット３２００へ伝送する。次いで第２の上位ネットワークユニット５５のＲＬＣプロトコルユニット３２００は、ＰＤＣＰ−ＳＮＤＰＵを伝送ステップ７４７にしたがい第２の上位ネットワークユニット５５のＰＤＣＰプロトコルユニット３１００へ伝送する。
【００５２】
さらに移動局１０のＰＤＣＰプロトコルユニット１１００は、第２の上位ネットワークユニット５５への有効データ転送を再開する。ここでこの有効データ転送は、受信したＰＤＣＰアップリンク受信シーケンス番号によって照会され、移動局１０のＰＤＣＰプロトコルユニット１１００から付与された相応のＰＤＣＰアップリンク送信シーケンス番号によって識別することができるパケットデータユニットでもって始められ、相応に継続される。移動局１０のＰＤＣＰプロトコルユニット１１００における変更７２０後での例示的に示した第１のパケットデータユニットの伝送は、先ず伝送ステップ７５０にしたがい移動局１０のＰＤＣＰプロトコルユニット１１００から移動局１０のＲＬＣプロトコルユニット１２００へと行われ、そこから伝送ステップ７５５にしたがい第２の上位ネットワークユニット５５のＲＬＣプロトコルユニット３２００へと行われ、次いでそこから伝送ステップ７５８にしたがい第２の上位ネットワークユニット５５のＰＤＣＰプロトコルユニット３１００へと行われる。
【００５３】
ステップ５：
第２の上位ネットワークユニット５５のＰＤＣＰプロトコルユニット３１００は、移動局１０からのＰＤＣＰ−ＳＮＤＰＵを伝送ステップ７４７に応じて受信した後に有効データ転送を再開する。この有効データ転送は、受信したＰＤＣＰダウンリンク受信シーケンス番号によって照会され、第２の上位ネットワークユニット５５のＰＤＣＰプロトコルユニット３１００において付与された相応のＰＤＣＰダウンリンク送信シーケンス番号によって識別することができるパケットデータユニットでもって始められ、相応に継続される。
【００５４】
次に第２の上位ネットワークユニット５５のＰＤＣＰプロトコルユニット３１００はこれら有効データ転送の第１のパケットデータユニットを、伝送ステップ７６０にしたがい第２の上位ネットワークユニット５５のＲＬＣプロトコルユニットを介して、また伝送ステップ７６５にしたがい移動局１０のＲＬＣプロトコルユニット１２００を介して、次いで伝送ステップ７６８にしたがい移動局１０のＰＤＣＰプロトコルユニット１１００へと送信する。この送信は、第２の上位ネットワークユニット５５のＰＤＣＰプロトコルユニット３１００がパケットデータユニットを、第２の上位ネットワークユニット５５の同一のＲＬＣプロトコルユニット３２００、従って同一の論理チャネル、すなわち第２の論理ＲＬＣコネクション１０３へと、正しい順序で誤りなく伝送するために伝送ステップ７４１において第２のエアインタフェース９１を介して引き渡すことによって行う。有効データ転送の別のパケットデータユニットは、相応のやり方で移動局１０と第２の上位ネットワークユニット５５との間で伝送される。
【００５５】
図５にはステップ１から５が例示的に示されている。第１の上位ネットワークユニット５０のＲＲＣプロトコルユニット２０００から第１の上位ネットワーク５０のＰＤＣＰプロトコルユニット２１００への第１の通知７０５は例えば、第３のコネクション切り替え７００の開始、したがって伝送固有の情報７３０を第２の上位ネットワークユニット５５のＰＤＣＰプロトコルユニット３１００へと伝送することを指示する。同様に第２の上位ネットワークユニット５５のＲＲＣプロトコルユニット３０００から第２の上位ネットワークユニット５５のＰＤＣＰプロトコルユニット３１００への第２の通知７０８は、例えば第３のコネクション切り替え７００の開始、したがって第２の上位ネットワークユニット５５のＰＤＣＰプロトコルユニット３１００の初期化を指示し、この初期化後に伝送固有の情報７３０を受信することができる。
【００５６】
記述した本発明を用いることにより、次に予期されるパケットデータユニットに関する情報の必要な交換を相応のシーケンス番号の形式で、付加的なシグナリング及び新たなデータチャネルの形成及び解除または既存のデータチャネルの再コンフィギュレーションを行うことなく、既存のデータチャネルを介して効果的に行うことができる。
【００５７】
相応のＰＤＣＰプロトコルユニット１１００、３１００によって形成されるＰＤＣＰ−ＳＮＤＰＵのために提案されるデータフォーマットは非常に帯域に関して効率的であり、何故ならば使用されない僅かな情報、すなわち５ビットだけを伝送すれば良く、さらには必要とされる情報、すなわち相応のシーケンス番号のための８ビット及び相応のＰＤＵタイプのための３ビットの情報以外の別の情報はＰＤＣＰ−ＳＮＤＰＵには設けられていないからである。
【００５８】
相応のＰＤＣＰプロトコルユニット１１００、３１００自体がＰＤＣＰ受信シーケンス番号を伝送することによって、シーケンス番号はそれぞれの伝送後にはプロトコルに存在し、このプロトコルにおいてはシーケンス番号が評価もされる。すなわち本発明では、例えばＲＲＣプロトコルのような一方のプロトコルから他方のプロトコルへの内部データ転送も行われない。
【００５９】
第２の上位ネットワークユニット５５のＰＤＣＰプロトコルユニット３１００によって、第３のコネクション切り替え７００の時点から、伝送ステップ７４７でもって第２の上位ネットワークユニット５５においてＰＤＣＰ−ＳＮＤＰＵを受信する時点まで、受信する有効データ転送のパケットデータユニットが無視されることによって、第３のコネクション切り替え７００前に移動局１０のＰＤＣＰプロトコルユニット１１００によって処理されたが、第３のコネクション切り替え７００後に初めて第２の上位ネットワークユニット５５によって受信された「古い」パケットデータユニットは、第２の上位ネットワークユニット５５のＰＤＣＰプロトコルユニット３１００おいてエラーにならないということが保証されている。
【００６０】
このことは、同一のＲＬＣプロトコルユニット１２００、３２００、したがって同一の第２の論理ＲＬＣコネクション１０３が、有効データ転送用のパケットデータユニットの伝送にも、ＰＤＣＰ−ＳＮＤＰＵの伝送にも使用されることによって達成された。ＲＬＣプロトコルユニットがデータを正しい順序で伝送するようになるので、ＰＤＣＰ−ＳＮＤＰＵの受信後には「古い」パケットデータユニットはもはや伝送されず、より上位のプロトコル層に与えられる可能性は無いことが保証されている。
【００６１】
移動局１０のＰＤＣＰプロトコルユニット１１００のリセットを、伝送ステップ７４２における第２の上位ネットワークユニット５５からのＰＤＣＰ−ＳＮＤＰＵの受信後に初めて、しかしながら伝送ステップ７４５においてＰＤＣＰ−ＳＮＤＰＵを第２の上位ネットワークユニット５５に発信する前に行うことによって、第１の上位ネットワークユニット５０から送信された全ての「古い」パケットデータユニットが、リセットされていない移動局１０の古いＰＤＣＰプロトコルユニット１１００によって伸長され、第２の上位ネットワークユニット５５から送信された全ての新しいパケットデータユニットが移動局１０のリセットされたＰＤＣＰプロトコルユニット１１００によって伸長されることが保証されている。
【図面の簡単な説明】
【図１】  移動無線網のブロック図である。
【図２】  コネクション切り替え前の第１の基地局を介する、移動局と第１の上位ネットワークユニットとの間のコネクションのブロック図である。
【図３】  コネクション切り替え後の第２の基地局を介する、移動局と第２の上位ネットワークユニットとの間のコネクションのブロック図である。
【図４】  従来技術によるコネクション切り替えの時間経過の例である。
【図５】  本発明によるコネクション切り替えの時間経過の例である。
【図１】
0003909241.tif 000003
【図２】
0003909241.tif 000004
【図３】
0003909241.tif 000005
【図４】
0003909241.tif 000006
【図５】
0003909241.tif 000007